(57)【要約】【課題】ＰＤＡなどの携帯情報端末機器をいちいち持ち歩かなくても、必要なときに患者の個人データを閲覧したり、患者・看護情報の入力が容易にできるようにすること。【解決手段】病室からの呼出時に患者の氏名などを表示する個別情報廊下灯の携帯情報端末を着脱自在に構成し、この携帯情報端末を、一次的に、患者・看護データの入力、閲覧機器として使用できるようにし、ＰＤＡのような患者情報閲覧・入力専用機器を不要にする。【選択図】図２
2006019841.tif 000002
【特許請求の範囲】
【請求項１】
ナースステーションなどに設置され、病室にいる患者と相互に呼出通話が可能で、患者の呼出情報や看護情報を表示するナースコール親機と、病室の出入口に設置され、患者からの呼出時点灯または点滅する代表灯を有し、患者の呼出情報、看護情報を表示する個別情報廊下灯と、病室などに設置され、前記ナースコール親機と相互に呼出、通話ができるナースコール子機とを相互に有線で接続して構成したナースコールシステムにおいて、前記個別情報廊下灯は、前記代表灯を有する廊下灯制御部と、前記廊下灯制御部に着脱自在に装着される携帯情報端末とを有し、前記廊下灯制御部から、これに装着された前記携帯情報端末へ電力を供給するとともに、病室情報、患者情報、呼出情報を送信して前記携帯情報端末に表示できるようにし、他方、前記携帯情報端末を前記廊下灯灯制御部から取り外して携帯し、患者データ、看護データの閲覧、入力後、前記廊下灯制御部に再装着することにより、更新データを、前記廊下灯制御部を介してナースコール親機へ送信できるようにしたことを特徴とするナースコールシステム
【発明の詳細な説明】
【技術分野】
【０００１】
本発明は、病院や介護施設で使用されるナースコールシステムに係わり、特に、病室の出入口に設置され、病室の患者名などが表示される個別情報廊下灯を有するナースコールシステムに関する。
【背景技術】
【０００２】
周知のように、病院や福祉施設では主に看護師と患者が相互に呼出して通話するためのナースコールシステムが設置されている。このナースコールシステムは、通常、患者が呼出しに使用する握りボタン、通話に使用するハンド子機、呼出しを廊下で知らせる廊下灯、さらにその呼出しを受けて通話する親機から構成されている。
前記親機にはパーソナルコンピュータを使用して患者の医療・看護情報を表示できるものも有り（特許文献１）、廊下灯には医療・看護情報を表示する液晶表示パネルのついたものがある（特許文献２）。
【０００３】
一方、看護師は、患者の医療・看護情報を携帯型のコンピュータ例えばＰＤＡ（Personal Digital
Assistance）と呼称される携帯情報端末に入力して携帯し、患者の所でその個人情報を見たり看護情報を新たに入力したりしている（特許文献３）。
【０００４】
患者情報の閲覧・入力手段としては他にもあり、例えば、病室壁面から伸びた支持アームの先端にタッチパネル式の患者端末を取付け、この端末を使って、医師又は看護婦などの医療スタッフが患者情報を見たり、回診や看護結果の入力したりできるものが知られている（例えば、特許文献４など）。
【０００５】
【特許文献１】・・・・・・・・・・・・・・特許第２８８７５５２号公報
【特許文献２】・・・・・・・・・・・・・・特開２００４−１０４６９１号公報
【特許文献３】・・・・・・・・・・・・・・特許第２８９５８１０号公報
【特許文献４】・・・・・・・・・・・・・・特許第３３３６２４１号公報
【発明の開示】
【発明が解決しようとする課題】
【０００６】
特許文献１の発明では、看護師などが病床の患者の看護記録をとる場合には、所持している手帳に忘れないようにメモし、そのメモの内容を、通常、ナースセンター内に設置されている親機乃至パソコンの場所まで移動して転記入力しなければならず、２度手間で時間がかかるばかりでなく、転記ミスも発生しやすかった。
【０００７】
特許文献２の発明では、患者情報や看護情報を表示できるが、病室の出入口の壁に固定して使用する点においては、旧来の、いわゆる個人別廊下灯ないしは集合廊下灯と変わるものではない。
【０００８】
特許文献３の発明では、データ入力は患者がいるベッドサイドでできるが、データを保存するためには、上記と同様、ホストコンピュータの場所まで移動し、データの保存作業を実施しなければならない。転記ミスは発生しないが、移動に時間がかかり、看護効率を低下させる。
【０００９】
特許文献４の発明では、患者端末は支持アームの先端部に固定されており、その構造上、可動・伸縮範囲が限られる。すなわち、閲覧・入力作業を実施する患者端末は患者の面前に近いところに位置する。結果として、患者は、看護師などの医療スタッフによる患者端末の操作状況をつぶさに観察することができるから、医療スタッフが処置を終えて患者のベッドサイドから離れてしまうと、患者は情報端末を勝手に操作することができる。これを避けるためには、高度なセキュリティ対策が必要になる。また患者端末を全病床に設置しなければならないため、ナースコールシステムとしてのコストアップは避けられない。
【００１０】
看護師は何時ナースコールで呼ばれるか解らないので常に、患者・看護情報を入力するための携帯情報端末を携帯している。看護師は携帯情報端末以外にも血圧計、点滴材等の患者に処置する為の機材や薬剤を持っていて少しでも持ち物を少なくする事が要求されている。そのために携帯情報端末を携帯せずに移動でき、必要な時には、目的の患者がいる病室に入る直前に携帯情報端末を用意できるようにして、看護師が通常は携帯情報端末を携帯しないですむナースコールシステムを提供することを本発明の目的とする。
【課題を解決するための手段】
【００１１】
本発明は、病室の出入口に取り付けられる個別情報廊下灯を、廊下灯制御部と、着脱自在の携帯情報端末で構成し、病室から呼出があると、呼出した患者の氏名、ベッド番号、呼出種別のほかに患者の個人情報を表示できるとともに、携帯情報端末を、必要に応じて、廊下灯制御部から取り外して携帯可能とし、従来、看護師や医師が患者情報や看護情報などを入力するために使用していた専用の携帯情報端末を不要にするものである。
【発明の効果】
【００１２】
本発明によれば、目的の患者がいる病室の出入口にある個別情報廊下灯の廊下灯制御部から携帯情報端末を取り外して携帯しながら患者のベッドサイドに行き、そこで患者情報や看護情報のデータ入力ができる。従来のように、看護処置をしたあと、いちいち、ナースステーションまで戻って記憶を頼りに入力したりする必要がない。従って、入力遅れがなく、また、入力忘れが発生しにくい。また、入力が完了したら、病室をでるとき、携帯情報端末を廊下灯制御部に元通りに戻せばよく、従来のように、病院内を重い携帯情報端末を持って移動する不便は解消される。
【００１３】
また、各個別情報廊下灯は、設置されている病室と1対１で個別に対応するものであり、所属の病室の患者に絞ったデータ処理ができるように構成しておけば、操作画面の簡素化、記憶容量の低減、処理スピード向上、低コスト化などを容易に図ることができる。
【発明を実施するための最良の形態】
【００１４】
以下、本発明に係る実施形態を添付図面に従って説明する。
図1において、本発明のナースコールシステムは、例えば、各ナースステーション毎に設置され、呼出報知機能、通話機能および情報表示機能を有するナースコール親機１と、各病室の出入口にそれぞれ設置され、呼出機能および情報表示機能を有するタッチパネル式個別情報廊下灯２と、病室内の各ベッド付近に設置され、呼出機能および通話機能を有するナースコール子機３とを有する。
【００１５】
図示の例では、ナースコール親機１は、ＰＢＸ（private branch exchange）４に接続されている。このＰＢＸ４には、看護婦などが携帯するＰＨＳなどの無線端末６と通信できる複数の無線基地局５が、適当な間隔を置いて接続されており、看護師などは、この無線端末６を用いて、ナースコール子機３との間で無線で通信することもできる。
【００１６】
さらに、ナースコール親機１は、院内システムネットワーク７に接続されており、この院内シスムネットワーク７には、ナースコール親機１に必要な患者の個人情報などを記憶するナースコールサーバ８や、看護支援システム９、院内情報システム（オーダエントリシステム、電子カルテシステム、検査部門システム、外来部門システム、その他の情報システムを含む）１０が接続されている。１１は、ＰＤＡのような携帯可能な情報端末であり、この情報端末に入力された看護データは、看護支援システム９のパソコンに有線または無線で転送される。
【００１７】
これら、すなわち、ナースコールサーバ８、看護支援システム９、院内情報システム１０のデータは、識別番号、患者名、生年月日など各システムで共有するデータも多く、相互に、最新データで更新されるようになっている。
【００１８】
なお、病院等の規模が小さい場合は、上記のような大規模なネットワーク構成は不要で、ナースコールシステムのみをスタンドアローンで構成することもできる。この場合、前記ナースコールサーバ７は、患者データの管理装置として、直接、ナースコール親機１に接続し、必要に応じて、これに、看護データなどを入力、変更、蓄積できるようにする。
【００１９】
ナースコール親機１は、院内システムネットワーク７を介して、ナースコールサーバ８の蓄積データを参照できるだけでなく、必要に応じて、看護支援システム９や院内情報システム１０の蓄積データを参照できる。
【００２０】
また、ナースコール親機１で新規に取得される、例えば、後述のようにして、個別情報廊下灯２に入力される看護等に関する更新データなどは、院内システムネットワーク７を介して、ナースコールサーバ８、看護支援システム９、院内情報システム１０に送信され、これらのデータを更新できるようになっている。
【００２１】
図２は個別情報廊下灯２の待機状態の１例を示すものである。
箱型の廊下灯制御部１２の上部には、ナースコール子機３から呼出があると、点灯または点滅して呼出を周囲に報知する横長の代表灯１３があり、下部には、ポケット形の収納部１５が形成されている。
【００２２】
この収納部１５には、その上端開口１６から挿入される携帯情報端末１４のコネクタ１７に嵌合接続されるコネクタ１８が設けられている。
【００２３】
携帯情報端末１４は、収納部１５に収納固定された状態では、後述するように廊下灯制御部１２の内部回路と連動しており、病室から呼出しがない状態では、図示の例では、待機状態を示す鹿の絵柄が表示されようになっている。
【００２４】
携帯情報端末１４の下部は、収納部１５の上カバーに隠されているので、携帯情報端末１４の下部にあるナースコール切替ボタン１９、看護メニューボタン２０、カーソルボタン２１、電源表示灯２２は、収納部１５の上カバー内に隠され、みだりに、操作できないようになっている。
【００２５】
図３は、個別情報廊下灯２の呼出状態の1例を示すものである。病室のナースコール子機３から呼出があると、個別情報廊下灯２の代表灯１３が点灯または点滅すると共に、廊下灯制御部１２から携帯情報端末１４に呼出信号が送られ、図２の待機画面から図３の呼出画面に変化する。
【００２６】
図３の呼出画面の例は、４床室の病室の例を示したものであり、病室内の４床のベッド配置図が示されている。４分割された長方形の名前窓２３には、患者名がそれぞれ表示されるており、呼出した患者の名前を囲む外枠すなわち名前枠２４のみが点滅して、どの患者から呼出があったか確認できるようになっている。
【００２７】
本例では、この名前枠２４の色の違いで呼出の種類を区別できるようになっており、緊急呼出のときは赤色、一般呼出のときは緑色で表示される。
【００２８】
また、本例では、患者の性別を、名前窓２３の背景色で区別できるように、男声の場合は青色背景、女性の場合はピンク背景で表示する。さらに、名前の先頭にある四角のマークは救護区分マーク２５を表し、赤色は担送、黄色は護送、白色は独歩を示す。
【００２９】
この図３の患者表示画面において、画面の適所、例えば、名前窓２３の名前部分にタッチすると、患者からの呼出状態は復旧し、図２の待機画面に戻る。なお、タッチしないまま一定時間、たとえば１０秒間が過ぎると、同じように、図２の待機画面に戻る。
【００３０】
なお、画面タッチによる復旧方法に変えて、廊下灯制御部１２の適所に専用の復旧ボタンを配置することもできる。
【００３１】
携帯情報端末１４は、廊下灯制御部１２の収納部１５に収納固定された状態では、前記コネクタ１７、コネクタ１８を介して、廊下灯制御部１２から供給される電源で内部回路が駆動されると共に内部の充電池が常時充電される。
【００３２】
一般的には、看護師等が医師の指示や看護計画に従い、あるいは、患者の要請により、病室に出向くときは、看護記録をとるための携帯情報端末の携帯は不可欠である。そのため、看護師等は常時重い携帯情報端末携帯したまま移動することが多い。
本発明は、このような不便を解消する。すなわち、目的の病室の出入口に設置されている個別情報廊下灯２の携帯情報端末１４は着脱自在であり、必要に応じて、廊下灯制御部１２から取り外す。携帯情報端末１４を廊下灯制御部１２から外すと、両者の接続が断たれ、携帯情報端末１４は、自動的に内部の充電池電源に切換えられて引き続き駆動される。
【００３３】
また、代表灯１３は、携帯情報端末１４を取り外したあとも廊下灯制御部１２に制御され、前述のように、名前窓２３にタッチするなどにより呼出が復旧していなければ、呼出状態は継続され点滅を維持する。
【００３４】
なお、携帯情報端末１４の着脱状態を検知し、携帯情報端末１４を取り外した状態では、呼出を自動復旧させ、代表灯１３が消灯するように制御することも可能である。
【００３５】
図４は呼出未復旧の状態で廊下灯制御部１２から取り外した携帯情報端末１４を示したものであり、液晶画面には、取り外す前の、呼出画面が継続して表示されている。前述のように、携帯情報端末１４の下部には、ナースコール切替ボタン１９、看護メニューボタン２０、カーソルボタン２１、電源表示灯２２が設けられている。実施例の携帯情報端末１４は、タッチペン対応であり、カーソルボタン２１の機能は、内部プログラムでカーソル機能が働かないようにしてある。
【００３６】
このような状態において、携帯情報端末１４の看護メニューボタン２０を押すと、図５の看護メニュー画面に切り替わり、看護メニューの一覧が表示される。図示の例では、看護メニュー項目として、バイタルボタン、食事／尿／便ボタン、計測／観察ボタン／、入院情報ボタン、診療情報ボタン、看護情報ボタン、メモ記録ボタン、履歴照会ボタン、予定照会ボタンが用意されている。
【００３７】
この看護メニュー画面において、個別メニューに進むには、一般的には、データセキュリティを確保するため、操作を行なう看護師の名前とパスワードを入力するステップが必要であるが説明は省略する。あわせて、入力、参照の対象となる患者を指定する操作についても説明を省略する。このようにして、記録者と患者の選択が終了すると、看護メニュー画面の記録者の欄に看護師の名前が表示され、個別のメニューの選択が可能になる。
【００３８】
そこで、たとえば、履歴照会ボタン２６を選択すると、図６の履歴照会画面に遷移する。
履歴照会画面の上部には、看護メニュー画面の個別ボタンと同様のボタンが表示され、
各ボタンにタッチすることで、履歴照会画面から、他のメニュー項目に移行して、当該患者に関する他情報の入力、参照ができる。
【００３９】
患者情報の入力、参照が完了したら、ナースコール切替ボタン１９を押すことにより、図１または図４の通常のナースコール画面に復帰する。
【００４０】
看護処置を終わり、必要な看護情報の入力が完了したら、看護師は、病室をでるとき、携帯情報端末１４を廊下灯制御部１２へ元通り収容する必要がある。これにより、個人別情報廊下灯のナースコール機能が復帰する。
【００４１】
図７は、個別情報廊下灯２のブロック回路図であり、廊下灯制御部１２と携帯情報端末１４の２つの部分に分かれる。廊下灯制御部１２は、全体動作を制御する、ＣＰＵを含む制御部２７と、複数のナースコール子機３が接続される入出力回路２８と、ナースコール子機３から呼出されたとき、点灯または点滅して呼出を報知する代表灯１３と、ナースコール親機へ接続され、ナースコール親機から電源の供給を受けると共に、患者データ、制御データ、音声データ等の送受信を行う電源データ通信部２９と、制御部２７の動作を規定するプログラムや患者データなどを記憶する記憶部３０９と、携帯情報端末１４に電源を供給したり、データの送受信を行なう通信部３１とで構成される。
【００４２】
携帯情報端末１４は、全体動作を制御する、ＣＰＵを含む制御部３２と、ナースコール情報や看護情報を表示したり、入力できるタッチパネル３３と、前記したナースコール切替ボタン１９や看護メニューボタン２０で構成される操作手段３４と、携帯情報端末１４から電源の供給を受けたり、データの送受信を行なう通信部３５と、制御部３２の動作を規定するプログラムや患者データなどを記憶する記憶部３６とで構成される。
【００４３】
次に、図７により、個別情報廊下灯２の動作を説明する。
ナースコール子機３の呼出ボタンが押されると、入出力回路２８を介して呼出信号が制御部２７に送信される。制御部２７は、記憶部３０に記憶されている子機識別データなどを参照して、子機番号や呼出種別を含む呼出送信データを作成し、これを、電源データ通信部２９を通してナースコール親機へ送信する。ナースコール親機からは、呼出信号の受信完了を示す応答信号が返信される。
【００４４】
制御部２７は、電源データ通信部２９を介してナースコール親機からの応答信号を受信すると、代表灯１３を点滅させるとともに、記憶部３０を構成しているＲＡＭに記憶されている患者名テーブルにおいて、呼出をした患者の呼出表示フラグをセットするとともに、呼出した患者の識別コード、呼出種別などを含む呼出データを通信部３１を介して携帯情報端末１４に送信する。
【００４５】
携帯情報端末１４の制御部３２は、通信部３５を介して、廊下灯制御部１２から送信される前記呼出データを受信する。受信データは解読後、記憶部３６に保存すると共に、記憶部３６の実行プログラムに従い、画面データを読み出す。読み出されたデータに従い、画面は待機画面から患者表示画面に遷移する。
【００４６】
呼出表示フラグがセットされた患者の名前窓２３の名前枠２４は、実行プログラムに従って点滅し、呼出した患者の名前窓２３が強調表示される。強調表示された名前窓２３の患者名を確認する事によりどの患者が呼出ししているかがわかる。
【００４７】
ナースコール子機３からの呼出しに対して、ナースコール親機１または無線端末６で応答操作すると、この応答信号は電源データ通信部２９を通して、制御部２７に伝わり、制御部２７の働きで代表灯１３は消灯する。同時に、個別情報廊下灯２の患者表示画面は消えて待機画面に復旧するとともに、ナースコール親機１または無線端末６とナースコール子機３との通話路が閉成される。ナースコール親機１または無線端末６で通話終了操作がされることにより、当該通話路は開放される。
【００４８】
制御部３２に接続されている記憶部３６には、待機画面、呼出画面などを含むナースコール画面と看護メニュー、個別の看護項目画面を含む看護画面の入力・表示をするプログラムや画面データの他に、当該廊下灯２の管理対象となる患者名分の個人情報や医師情報、看護師情報など各種の患者、看護情報が記憶される。患者、看護情報は、ナースコール親機１から、廊下灯制御部１２を経由して送信される患者データをベースとして構成され、ナースコール親機から更新データが送信される都度、送信データで更新される。
【００４９】
携帯情報端末１４の入力は、前述したように、携帯情報端末１４を廊下灯制御部１２から取り外した状態で、看護メニューボタン２０を押すことにより、可能となり、指や専用のペンでタッチパネル３３の画面に触れる方法で行う。
新たに登録された患者データや看護データは、更新用の送信データとして記憶部３６に一次保存され、携帯情報端末１４を廊下灯制御部１２に再装着することにより、廊下灯制御部１２の電源データ通信部２９を介してナースコール親機へ送信される。
【００５０】
３７はリチウムイオン電池などの蓄電池と充電回路で構成される充電手段であり、通信部３５を介して充電される。なお、実施例では、ナースコール親機から供給される電源で充電される例を示したが、廊下灯制御部１２にＡＣ電源で駆動されるＡＣアダプタを内蔵し、アダプタ電源で充電手段３７に電源を供給することも可能である。
【００５１】
なお、携帯情報端末１４としては、個別情報廊下灯用として専用であってもよいが、一般市販のＰＤＡを利用することも可能である。また、当該携帯情報端末１４とシステム図に示した携帯情報端末１１との共通化をはかることも考えられる。
【図面の簡単な説明】
【００５２】
【図１】本発明によるナースコールシステムの１実施例を示す構成図。
【図２】本発明の１実施例における個別情報廊下灯の待機状態の正面図
【図３】本発明の１実施例における個別情報廊下灯の患者表示状態の正面図
【図４】本発明の１実施例における携帯情報端末の正面図
【図５】本発明の１実施例における携帯情報端末の看護メニュー画面
【図６】本発明の１実施例における携帯情報端末の履歴画面
【図７】本発明の１実施例における個別情報廊下灯のブロック回路図
【符号の説明】
【００５３】
１・・・ナースコール親機、２・・・個別情報廊下灯、３・・・ナースコール子機、７・・・院内システムネットワーク、８・・・ナースコールサーバ、９・・・看護支援システム、１０・・・院内情報システム、１１・・・携帯情報端末、１２・・・廊下灯制御部、１３・・・代表灯、１４・・・携帯情報端末、１９・・・ナースコール切替ボタン、２０・・・看護メニューボタン、２３名前窓、２４・・・名前枠、
【図１】
2006019841.tif 000003
【図２】
2006019841.tif 000004
【図３】
2006019841.tif 000005
【図４】
2006019841.tif 000006
【図５】
2006019841.tif 000007
【図６】
2006019841.tif 000008
【図７】
2006019841.tif 000009